(57)【要約】【課題】  接続する二つの配管部材が軸線方向へ動いても分岐側の水量を充分に確保することができる。【解決手段】  半円状の上側ハウジング１′及び下側ハウジング１″から成る二つ割りの環状のハウジング１と、上側ハウジング１′又は下側ハウジング１″に設けられ、分岐管５が接続される筒状の分岐部１ｂと、上側ハウジング１′及び下側ハウジング１″内にそれぞれ挿着され、二つの配管部材Ｐと環状のハウジング１との間気密状にシールする半円弧状の二つの半円状パッキン２′から成る環状の割りパッキン２と、上側ハウジング１′及び下側ハウジング１″を縮径方向へ締め付け固定する緊締具４とを備えた分岐用管継手であって、前記上側ハウジング１′及び下側ハウジング１″に形成した鍔部収容凹部１ｈの内周面に、二つの配管部材Ｐの各端面が当接して二つの配管部材Ｐの近接する方向への移動を規制する当り面１ｃ′を有するストッパー部１ｃを設ける。【選択図】      図１９
2018189131.tif 000002
【特許請求の範囲】
【請求項１】
対向状に配設されて端部外周面に環状の鍔部（Ｐａ）をそれぞれ形成した二つの配管部材（Ｐ）の両方の鍔部（Ｐａ）及び各鍔部（Ｐａ）に隣接する配管部材（Ｐ）の外周面部分に覆い被され、内面側外周縁部に四角枠状のパッキン挿入用凹溝（１ｇ）をそれぞれ形成すると共に、四角枠状のパッキン挿入用凹溝（１ｇ）で囲まれた部分に対向せしめた二つの配管部材（Ｐ）の両方の鍔部（Ｐａ）を収容する両端が開放された半円形状の鍔部収容凹部（１ｈ）をそれぞれ形成した半円状の上側ハウジング（１′）及び下側ハウジング（１″）から成る二つ割りの環状のハウジング（１）と、上側ハウジング（１′）又は下側ハウジング（１″）に設けられ、分岐管（５）が接続される分岐流通路を有する筒状の分岐部（１ｂ）と、上側ハウジング（１′）及び下側ハウジング（１″）のパッキン挿入用凹溝（１ｇ）内にそれぞれ挿着され、対向せしめた二つの配管部材（Ｐ）の鍔部（Ｐａ）に隣接する外周面と環状のハウジング（１）との間及び上側ハウジング（１′）と下側ハウジング（１″）との間をそれぞれ気密状にシールする平面視において四角枠状で且つ側面視において半円弧状の二つの半円状パッキン（２′）から成る環状の割りパッキン（２）と、上側ハウジング（１′）及び下側ハウジング（１″）を縮径方向へ締め付け固定する緊締具（４）とを備えた分岐用管継手であって、前記上側ハウジング（１′）及び下側ハウジング（１″）の両方の鍔部収容凹部（１ｈ）の内周面又は何れか一方の鍔部収容凹部（１ｈ）の内周面に、二つの配管部材（Ｐ）の各端面が当接して二つの配管部材（Ｐ）の近接する方向への移動を規制する当り面（１ｃ′）を有するストッパー部（１ｃ）を設けたことを特徴とする分岐用管継手。
【請求項２】
前記ストッパー部（１ｃ）の二つの配管部材（Ｐ）の端面がそれぞれ当接する当り面（１ｃ′）間の寸法（Ｌ）は、分岐管（５）へ流入する水量を充分に確保できる寸法に設定されていることを特徴とする請求項１に記載の分岐用管継手。
【請求項３】
前記ストッパー部（１ｃ）は、上側ハウジング（１′）及び下側ハウジング（１″）の両方の鍔部収容凹部（１ｈ）の内周面に対向する状態でそれぞれ一対設けられており、配管部材（Ｐ）の円周方向に沿う半円弧状に形成されていることを特徴する請求項１又は請求項２に記載の分岐用管継手。
【請求項４】
前記上側ハウジング（１′）及び下側ハウジング（１″）の鍔部収容凹部（１ｈ）の内側側面（１ｈ′）と前記内側側面（１ｈ′）に対向するストッパー部（１ｃ）の当り面（１ｃ′）との間隔（Ｗ）は、二つの配管部材（Ｐ）が軸線方向へ移動できるように二つの配管部材（Ｐ）の鍔部（Ｐａ）の幅より大きめに設定されていることを特徴とする請求項１〜請求項３の何れかに記載の分岐用管継手。
【発明の詳細な説明】
【技術分野】
【０００１】
本発明は、マンション等の数階建ての建物内に敷設されている給水配管の更新工事や補修工事を行う際に用いる仮設配管、水道工事や土木工事等に用いる埋設配管、空調設備や建築設備等に用いる配管を形成する配管部材、特に、端部外周面に環状の鍔部を形成した配管部材の端部同士を突き合せ状に接続できると共に、分岐管を接続できるようにしたハウジング形の分岐用管継手に関するものである。
【背景技術】
【０００２】
一般に、給水配管の更新工事に用いる仮設配管や水道工事に用いる埋設配管等には、鍔付きの配管部材が使用されている。この鍔付きの配管部材としては、直管、分岐継手（チーズ）、エルボ、異径管（レデューサー）、短管、フレキシブル継手、伸縮管等がある。
【０００３】
前記鍔付きの配管部材は、端部外周面に環状の鍔部を一体的に形成したものであり、接続する二つの配管部材の鍔部を対向状に配設し、対向せしめた二つの配管部材の端部にハウジング形の管継手を被せて配管部材の鍔部を管継手のハウジングで覆うことで抜け止めし、配管部材とハウジングとの間を環状のパッキンでシールする形式である。
【０００４】
従来、この種のハウジング形の管継手としては、本件出願人が先に開発したパッキン一体型管継手が知られている（特許文献１及び特許文献２参照）。
【０００５】
即ち、前記パッキン一体型管継手１０は、二つ割りの環状のハウジング１１内に環状の割りパッキン１２を装着したものであり、端部外周面に環状の鍔部Ｐａを形成した配管部材Ｐ（直管、分岐継手、エルボ等）の接続作業を簡単に短時間で行えると言う利点がある。
【０００６】
ところで、前記パッキン一体型管継手１０を用いて配管の分岐を行う場合、図２０に示す如く、配管部材Ｐ（直管）と配管部材Ｐ（直管）との間に分岐継手１３を配設し、配管部材Ｐ（直管）と分岐継手１３とをパッキン一体型管継手１０で接続すると共に、分岐継手１３に分岐管（図示省略）を接続するようにしている。
【０００７】
しかしながら、配管の分岐を行うのに分岐継手を用いた場合、接続箇所が増えて配管部材Ｐ同士の接続に時間がかかると共に、パッキン一体型管継手の数も多く必要とすると言う問題が発生する。
【０００８】
そこで、前記問題を解決するため、ハウジング形の管継手と分岐継手とを一体化した分岐用管継手が開発され、実用に供されている（非特許文献１参照）。
【０００９】
即ち、前記分岐用管継手は、図２１に示す如く、対向状に配設した二つの配管部材Ｐの鍔部Ｐａに覆い被され、配管部材Ｐの鍔部Ｐａに係合される半円状の上側ハウジング１４′及び下側ハウジング１４″から成る二つ割りの環状のハウジング１４と、上側ハウジング１４′に設けられ、分岐管が接続される分岐流通路を有する筒状の分岐部１４ａと、対向状に配設した二つの配管部材Ｐの鍔部Ｐａに跨って被せられ、分岐部１４ａの分岐流通路に対応する位置に貫通穴を形成したゴム製の環状のパッキン１５と、上側ハウジング１４′及び下側ハウジング１４″の両端部同士を締め付け固定するボルト及びナットから成る緊締具（図示省略）とを備えている。
【００１０】
而して、前記分岐用管継手を用いて二つの配管部材Ｐを接続するには、対向状に配設した二つ配管部材Ｐの鍔部Ｐａに環状のパッキン１５を跨った状態で被せ、この環状のパッキン１５と二つの配管部材Ｐの鍔部Ｐａとを上側ハウジング１４′及び下側ハウジング１４″で覆い、上側ハウジング１４′及び下側ハウジング１４″の両端部同士を緊締具で締め付けることによって、二つの配管部材Ｐを気密状態で且つ突き合せ状に接続することができる。
【００１１】
前記分岐用管継手は、上側ハウジング１４′に分岐管（図示省略）が接続される筒状の分岐部１０ａを備えているため、配管部材Ｐと配管部材Ｐとの間に分岐継手１３を配設しなくても、配管の分岐を行うことができ、接続箇所を減らせると共に、パッキン一体型管継手１０の数を減らせると言う利点がある。
【００１２】
ところで、前記分岐用管継手やパッキン一体型管継手１０を用いて二つの配管部材Ｐを接続する際には、配管の伸縮や曲がり、撓み等を吸収できるように対向する二つの配管部材Ｐの端面間に隙間が設けられている。また、分岐用管継手の場合には、配管部材Ｐ内の水が二つの配管部材Ｐの端面間に隙間から筒状の分岐部１０ａの分岐流通路を通って分岐管へ流れるようになっている（図２１（ａ）参照）。
【００１３】
しかしながら、前記分岐用管継手においては、配管部材Ｐが分岐用管継手のハウジング１４に固定されておらず、しかも、対向する二つの配管部材Ｐの端面間の隙間が数ｍｍと小さいため、配管部材Ｐが動いて対向する二つの配管部材Ｐの端面間の隙間が狭まることがあり、この場合には、充分な水量を確保できないと言う問題がある。
特に、対向する二つの配管部材Ｐの端面同士が突き当たってしまったような場合には、分岐管側へ水が流れず、水がでないと言う問題が発生していた（図２１（ｂ）参照）。
【００１４】
尚、充分な水量を確保するために、環状のハウジング１４の幅を広くし、対向する二つの配管部材Ｐの端面間の隙間を大きくしても良いが、この場合、環状のパッキン１５の配管部材Ｐの流路に露出する面積が大きくなるため、流路内が負圧になると、環状のパッキン１５が環状のハウジング１４の内周面から剥がれるように流路内に膨出変形し、シール性が大いに損なわれる虞がある。
【００１５】
また、前記分岐用管継手においては、対向状に配設した二つ配管部材Ｐの鍔部Ｐａに環状のパッキン１５を跨った状態で被せているため、環状のパッキン１５自体に分岐部１４ａの分岐流通路に連通する貫通穴１５ａを形成しなければならず、加工工程が増えると言う問題があった。
【先行技術文献】
【特許文献】
【００１６】
【特許文献１】特開２０１４−１１９９３９号公報
【特許文献２】特開２０１４−２０２２４２号公報
【非特許文献】
【００１７】
【非特許文献１】日本ヴィクトリック株式会社のホームページ内の製品情報・工事（分岐ジョイントＳ型／Ｇ型）、［平成２９年４月２７日検索］、インターネット＜ＵＲＬ：http://www.victaulic.co.jp/＞
【発明の概要】
【発明が解決しようとする課題】
【００１８】
本発明は、このような問題点に鑑みて為されたものであり、その目的は、接続する二つの配管部材が軸線方向へ動いても分岐側の水量を充分に確保することができると共に、パッキンに分岐管内へ連通する分岐用の貫通穴を形成する必要のない分岐用管継手を提供することにある。
【課題を解決するための手段】
【００１９】
上記目的を達成するために、本発明に係る分岐用管継手は、対向状に配設されて端部外周面に環状の鍔部をそれぞれ形成した二つの配管部材の両方の鍔部及び各鍔部に隣接する配管部材の外周面部分に覆い被され、内面側外周縁部に四角枠状のパッキン挿入用凹溝をそれぞれ形成すると共に、四角枠状のパッキン挿入用凹溝で囲まれた部分に対向せしめた二つの配管部材の両方の鍔部を収容する両端が開放された半円形状の鍔部収容凹部をそれぞれ形成した半円状の上側ハウジング及び下側ハウジングから成る二つ割りの環状のハウジングと、上側ハウジング又は下側ハウジングに設けられ、分岐管が接続される分岐流通路を有する筒状の分岐部と、上側ハウジング及び下側ハウジングのパッキン挿入用凹溝内にそれぞれ挿着され、対向せしめた二つの配管部材の鍔部に隣接する外周面と環状のハウジングとの間及び上側ハウジングと下側ハウジングとの間をそれぞれ気密状にシールする平面視において四角枠状で且つ側面視において半円弧状の二つの半円状パッキンから成る環状の割りパッキンと、上側ハウジング及び下側ハウジングを縮径方向へ締め付け固定する緊締具とを備えた分岐用管継手であって、前記上側ハウジング及び下側ハウジングの両方の鍔部収容凹部の内周面又は何れか一方の鍔部収容凹部の内周面に、二つの配管部材の各端面が当接して二つの配管部材の近接する方向への移動を規制する当り面を有するストッパー部を設けたことに特徴がある。
【００２０】
前記ストッパー部の二つの配管部材の端面がそれぞれ当接する当り面間の寸法は、分岐管へ流入する水量を充分に確保できる寸法に設定することが好ましい。
【００２１】
前記ストッパー部は、上側ハウジング及び下側ハウジングの両方の鍔部収容凹部の内周面に対向する状態でそれぞれ一対設けられており、配管部材の円周方向に沿う半円弧状に形成されていることが好ましい。
【００２２】
前記上側ハウジング及び下側ハウジングの鍔部収容凹部の内側側面と前記内側側面に対向するストッパー部の当り面との間隔は、二つの配管部材が軸線方向へ移動できるように二つの配管部材の鍔部の幅より大きめに設定することが好ましい。
【発明の効果】
【００２３】
本発明に係る分岐用管継手は、上側ハウジング及び下側ハウジングの両方の鍔部収容凹部の内周面又は何れか一方の鍔部収容凹部の内周面に、二つの配管部材の各端面が当接して二つの配管部材の近接する方向への移動を規制する当り面を有するストッパー部を設けているため、対向状に配設した二つの配管部材が近接する方向へ動いても、ストッパー部により二つの配管部材の軸線方向への移動が規制され、二つの配管部材の端面同士が突き当たるのを防止することができる。
その結果、本発明に係る分岐用管継手は、従来の分岐用管継手のように二つの配管部材が近接する方向へ動いたときに、水が出ないと言う問題を生じることがなく、分岐管側へ確実に水を流すことができる。
【００２４】
また、本発明に係る分岐用管継手は、ストッパー部の二つの配管部材の端面がそれぞれ当接する当り面間の寸法を、分岐管へ流入する水量を充分に確保できる寸法に設定しているため、二つの配管部材の端面がストッパー部の当り面に当接しても、分岐管側へ充分な水量を確保することができる。
【００２５】
更に、本発明に係る分岐用管継手は、上側ハウジング及び下側ハウジングの鍔部収容凹部の内側側面と当該内側側面に対向するストッパー部の当り面との間隔を、二つの配管部材が軸線方向へ移動できるように二つの配管部材の鍔部の幅より大きめに設定しているため、二つの配管部材を接続したときに配管の伸縮や曲がり、撓み等を吸収することができる。
【００２６】
加えて、本発明に係る分岐用管継手は、環状のパッキンが平面視において四角枠状で且つ側面視において半円弧状の二つの半円状パッキンから成り、二つの半円状パッキンが二つの配管部材の鍔部に隣接する外周面と環状のハウジングとの間を気密状にシールするようにしているため、対向状に配設した二つ配管部材の鍔部に環状のパッキンを跨った状態で被せるようにした従来の分岐用管継手のように環状のパッキンに分岐用の貫通穴を形成する必要もなく、加工工程の削減及びコスト低減を図れる。
【図面の簡単な説明】
【００２７】
【図１】本発明の実施形態に係る分岐用管継手を示し、上側ハウジングと下側ハウジングを閉じた状態の分岐用管継手の正面図である。
【図２】同じく分岐用管継手を示し、上側ハウジングと下側ハウジングを開いた状態の分岐用管継手の正面図である。
【図３】同じく分岐用管継手の平面図である。
【図４】同じく分岐用管継手の左側面図である。
【図５】同じく分岐用管継手の右側面図である。
【図６】図１のＡ−Ａ線拡大断面図である
【図７】上側ハウジングと下側ハウジングを開いた状態の分岐用管継手の平面図である。
【図８】図７のＢ−Ｂ線断面図である。
【図９】上側ハウジングと下側ハウジングを開いた状態のハウジングの平面図である。
【図１０】図９のＣ−Ｃ線断面図である。
【図１１】割りパッキンの正面図である。
【図１２】割りパッキンの側面図である。
【図１３】割りパッキンの平面図である。
【図１４】図１１のＤ−Ｄ線断面図である。
【図１５】図１２のＥ−Ｅ線断面図である。
【図１６】図１２のＦ−Ｆ線断面図である。
【図１７】分岐用管継手を用いた配管部材の接続手順を示し、接続する二つの配管部材の鍔部を下側ハウジングの鍔部収容凹部内に挿入した状態の平面図である。
【図１８】二つの配管部材の鍔部に上側ハウジングを被せて緊締具で締め付け固定した状態の分岐用管継手の正面図である。
【図１９】図１８のＧ−Ｇ線拡大断面図である。
【図２０】従来のパッキン一体型管継手と分岐継手とを用いて二つの配管部材を接続した状態を示す断面図である。
【図２１】従来の分岐用管継手を用いて二つの配管部材を接続した状態を示し、（ａ）は配管部材と配管部材との隙間から分岐側へ水が流れる状態の分岐用管継手の断面図、（ｂ）は二つの配管部材の先端同士が突き当たって水が分岐側へ流れない状態の分岐用管継手の断面図である。
【発明を実施するための形態】
【００２８】
以下、本発明の実施形態を図面に基づいて詳細に説明する。
図１〜図８は本発明の実施形態に係る分岐用管継手を示し、当該分岐用管継手は、例えば数階建ての建物内に敷設されている給水配管の更新工事や補修工事を行う際に用いる仮設配管、水道工事や土木工事等に用いる埋設配管等を形成する配管部材Ｐ、特に、端部外周面に環状の鍔部Ｐａを形成した二つの配管部材Ｐ（直管、分岐継手、エルボ、異径管（、短管、フレキシブル継手、伸縮管等）の端部同士を突き合せ状に接続することができると共に、分岐管を接続できるようにしたパッキン一体型のハウジング形の分岐用管継手に形成されている。
【００２９】
即ち、前記分岐用管継手は、図１〜図８、図１７〜図１９に示す如く、対向せしめた二つの配管部材Ｐの両方の鍔部Ｐａ及び各鍔部Ｐａに隣接する配管部材Ｐの外周面部分に覆い被され、内面側外周縁部に四角枠状のパッキン挿入用凹溝１ｇをそれぞれ形成すると共に、四角枠状のパッキン挿入用凹溝１ｇで囲まれた部分に対向せしめた二つの配管部材Ｐの両方の鍔部Ｐａを収容する両端が開放された半円形状の鍔部収容凹部１ｈをそれぞれ形成した半円状の上側ハウジング１′及び下側ハウジング１″から成る二つ割りの環状のハウジング１と、上側ハウジング１′又は下側ハウジング１″に設けられ、分岐管５が接続される分岐流通路を有する筒状の分岐部１ｂと、上側ハウジング１′及び下側ハウジング１″のパッキン挿入用凹溝１ｇ内にそれぞれ挿着され、対向せしめた二つの配管部材Ｐの鍔部Ｐａに隣接する外周面と環状のハウジング１との間及び上側ハウジング１′と下側ハウジング１″との間をそれぞれ気密状にシールする平面視において四角枠状で且つ側面視において半円弧状の二つの半円状パッキン２′から成る環状の割りパッキン２と、上側ハウジング１′及び下側ハウジング１″の一端部同士を回動自在に連結する連結ピン３と、上側ハウジング１′及び下側ハウジング１″の他端部同士を縮径方向へ締め付け固定する緊締具４とを備えている。
【００３０】
前記環状のハウジング１を形成する上側ハウジング１′及び下側ハウジング１″は、何れもステンレス鋳鋼、ダクタイル鋳鉄、アルミ合金や銅合金の非鉄系又は合成樹脂材により半円状に形成されており、上側ハウジング１′及び下側ハウジング１″の両端面同士を突き合せたときに環状になるように構成されている。
【００３１】
具体的には、前記上側ハウジング１′は、図１〜図１０に示す如く、ステンレス鋳鋼品（ＳＣＳ１３）により形成されており、対向せしめた二つの配管部材Ｐの両方の鍔部Ｐａに覆い被される半円形状の円弧状ハウジング部１ａと、円弧状ハウジング部１ａに設けられ、分岐管５が接続される分岐流通路を有する筒状の分岐部１ｂと、円弧状ハウジング部１ａの内周面に設けられ、二つの配管部材Ｐの各端面がそれぞれ当接して二つの配管部材Ｐの近接する方向への移動を規制する当り面１ｃ′を有するストッパー部１ｃと、円弧状ハウジング部１ａの一端部外周面に連設され、外方へ突出する二股状の連結片１ｄと、円弧状ハウジング部１ａの他端部外周面に連設され、外方へ突出する二股状の締め付け片１ｅとを備えている。
【００３２】
前記上側ハウジング１′の分岐部１ｂは、円弧状ハウジング部１ａの中央部に外方へ突出する状態で連設されており、分岐部１ｂの内周面には、分岐管５の端部外周面に形成した雄ネジ５ａが着脱自在に螺着される雌ネジ１ｆが形成されている。尚、分岐部１ｂには、分岐管５を直接接続しても良いし、或いは、分岐管５をニップル等のアダプター（図示省略）を介して接続するようにしても良い。
【００３３】
また、上側ハウジング１′の内面側外周縁部（円弧状ハウジング部１ａの内周面両端部及び円弧状ハウジング部１ａの両端面）には、図９に示すように平面視において四角枠状のパッキン挿入用凹溝１ｇが形成されている。
【００３４】
更に、上側ハウジング１′の四角枠状のパッキン挿入用凹溝１ｇで囲まれた内周面（円弧状ハウジング部１ａの内面）には、対向せしめた二つの配管部材Ｐの両方の鍔部Ｐａが収容される両端が開放された半円形状の鍔部収容凹部１ｈが円弧状ハウジング部１ａの一端部端面から他端部端面に亘って円周方向に沿う姿勢で形成されている。
【００３５】
そして、上側ハウジング１′のストッパー部１ｃは、図９及び図１０に示す如く、上側ハウジング１′の鍔部収容凹部１ｈの内周面に内方へ突出する状態で連設されており、上側ハウジング１′の円周方向に沿う半円弧状に形成されている。
【００３６】
この実施形態においては、ストッパー部１ｃは、上側ハウジング１′の鍔部収容凹部１ｈの内周面に上側ハウジング１′の幅方向（図９の左右方向）に一定の間隔を空けて一対設けられており、各ストッパー部１ｃの外側の側面が二つの配管部材Ｐの各端面にそれぞれ当接する当り面１ｃ′となっている。
【００３７】
尚、二つのストッパー部１ｃの二つの配管部材Ｐの端面がそれぞれ当接する当り面１ｃ′間の寸法Ｌは、二つのストッパー部１ｃの当り面１ｃ′に二つの配管部材Ｐの端面がそれぞれ当接しても、二つの配管部材Ｐの端面間の間隔が一定に保たれ、分岐管５へ流入する水量を充分に確保できる寸法に設定されている（図１９参照）。
【００３８】
また、二つのストッパー部１ｃの当り面１ｃ′と各当り面１ｃ′に対向する上側ハウジング１′の鍔部収容凹部１ｈの内側側面１ｈ′との間隔Ｗは、二つの配管部材Ｐが軸線方向へ移動できるように二つの配管部材Ｐの鍔部Ｐａの幅より大きめに設定されている（図１９参照）。
【００３９】
一方、前記下側ハウジング１″は、図１〜図１０に示す如く、ステンレス鋳鋼品（ＳＣＳ１３）により形成されており、対向せしめた二つの配管部材Ｐの両方の鍔部Ｐａに覆い被される半円形状の円弧状ハウジング部１ａと、円弧状ハウジング部１ａの内周面に設けられ、二つの配管部材Ｐの各端面がそれぞれ当接して二つの配管部材Ｐの近接する方向への移動を規制する当り面１ｃ′を有するストッパー部１ｃと、円弧状ハウジング部１ａの一端部外周面に連設され、外方へ突出して上側ハウジング１′の連結片１ｄ間に挿入される二股状の連結片１ｄと、円弧状ハウジング部１ａの他端部外周面に連設され、外方へ突出して上側ハウジング１′の締め付け片１ｅに当接する二股状の締め付け片１ｅとを備えている。
【００４０】
また、下側ハウジング１″の内面側外周縁部（円弧状ハウジング部１ａの内周面両端部及び円弧状ハウジング部１ａの両端面）には、図９に示すように平面視において四角枠状のパッキン挿入用凹溝１ｇが形成されている。
【００４１】
更に、下側ハウジング１″の四角枠状のパッキン挿入用凹溝１ｇで囲まれた内周面（円弧状ハウジング部１ａの内面）には、対向せしめた二つの配管部材Ｐの両方の鍔部Ｐａが収容される両端が開放された半円形状の鍔部収容凹部１ｈが円弧状ハウジング部１ａの一端部端面から他端部端面に亘って円周方向に沿う姿勢で形成されている。
【００４２】
加えて、下側ハウジング１″の二股状の締め付け片１ｅの基端部外側面には、上側ハウジング１′及び下側ハウジング１″の両端面同士を突き合せたときに上側ハウジング１′の締め付け片１ｅの両側面に係止されて上側ハウジング１′及び下側ハウジング１″を位置決めする位置決め用突起１ｉが突出形成されている。
【００４３】
そして、下側ハウジング１″のストッパー部１ｃは、図９及び図１０に示す如く、下側ハウジング１″の鍔部収容凹部１ｈの内周面に内方へ突出する状態で連設されており、下側ハウジング１″の円周方向に沿う半円弧状に形成されている。
【００４４】
この実施形態においては、ストッパー部１ｃは、下側ハウジング１″の鍔部収容凹部１ｈの内周面に下側ハウジング１″の幅方向（図９の左右方向）に一定の間隔を空けて一対設けられており、各ストッパー部１ｃの外側の側面が二つの配管部材Ｐの各端面にそれぞれ当接する当り面１ｃ′となっている。この二つのストッパー部１ｃは、下側ハウジング１″の鍔部収容凹部１ｈの内周面に、上側ハウジング１′の二つのストッパー部１ｃに対向する状態で形成されている。そのため、下側ハウジング１″のストッパー部１ｃと上側ハウジング１′のストッパー部１ｃとは、両ハウジング１′、１″を対向させたときにリング状を呈することになる。
【００４５】
尚、二つのストッパー部１ｃの二つの配管部材Ｐの端面がそれぞれ当接する当り面１ｃ′間の寸法Ｌは、二つのストッパー部１ｃの当り面１ｃ′に二つの配管部材Ｐの端面がそれぞれ当接しても、二つの配管部材Ｐの端面間の間隔が一定に保たれ、分岐管５へ流入する水量を充分に確保できる寸法に設定されている（図１９参照）。
【００４６】
また、二つのストッパー部１ｃの当り面１ｃ′と各当り面１ｃ′に対向する下側ハウジング１″の鍔部収容凹部１ｈの内側側面１ｈ′との間隔Ｗは、二つの配管部材Ｐが軸線方向へ移動できるように二つの配管部材Ｐの鍔部Ｐａの幅より大きめに設定されている（図１９参照）。
【００４７】
このように構成された前記上側ハウジング１′及び下側ハウジング１″は、上側ハウジング１′の二股状の連結片１ｄを下側ハウジング１″の二股状の連結片１ｄ１ｂ間に挿入し、両連結片１ｄに連結ピン３を挿通してブッシュナット６で抜け止めすることによって、回動自在に連結されている。
【００４８】
尚、上記の実施形態においては、上側ハウジング１′及び下側ハウジング１″に二つの半円弧状のストッパー部１ｃをそれぞれ設けるようにしたが、他の実施形態においては、上側ハウジング１′及び下側ハウジング１″に幅の広い一つの半円弧状のストッパー部１ｃをそれぞれ設け、ストッパー部１ｃの両側の側面を二つの配管部材Ｐの端面が当接する当り面１ｃ′としても良い。
【００４９】
また、上記の実施形態においては、上側ハウジング１′及び下側ハウジング１″のストッパー部１ｃを半円弧状に形成したが、ストッパー部１ｃの形状は上記の実施形態に係るものに限定されるものではなく、対向する二つの配管部材Ｐの各端面が当接して二つの配管部材Ｐの近接する方向への移動を規制するものであれば、如何なる形状及び構造であっても良い。例えば、ストッパー部１ｃを上側ハウジング１′及び下側ハウジング１″の内方へ突出する突起状（図示省略）に形成しても良い。
【００５０】
前記環状の割りパッキン２を形成する二つの半円状パッキン２′は、何れもニトリルゴム（ＮＢＲ）等の合成ゴムにより平面視において四角枠状に形成され且つ側面視において半円弧状に形成に形成されており、二つの半円状パッキン２′の両端面同士を突き合せたときに環状になるように構成されている。
【００５１】
具体的には、二つの半円状パッキン２′は、図６〜図８、図１１〜図１６に示す如く、何れもエチレンプロピレンジエンゴム（ＥＰＤＭ）により同一の形状及び同一の大きさに形成されており、上側ハウジング１′及び下側ハウジング１″のパッキン挿入用凹溝１ｇの円弧状ハウジング部１ａの内周面両端部に位置する部分にそれぞれ挿着される一対の半円形状の円弧部２ａと、一対の円弧部２ａの両端部外面に外方へ突出する状態で連設され、一対の円弧部２ａの両端部同士を連結すると共に、上側ハウジング１′及び下側ハウジング１″のパッキン挿入用凹溝１ｇの円弧状ハウジング部１ａの両端面に位置する部分にそれぞれ挿着される平面形状コ字状の一対の連結部２ｂと、一対の円弧部２ａの内周面に円弧部２ａの半径方向へ向って突出形成され、対向せしめた一対の配管部材Ｐの各鍔部Ｐａに隣接する外周面部分に密着状態で圧接される断面形状が先細り状のリップ部２ｃと、各円弧部２ａの内周面両端位置と円弧部２ａの両端面との境界部分にリップ部２ｃに連なる状態で形成され、二つの半円状パッキン２′の両端面同士を突き合せたときにリップ部２ｃの両端部分の大きな変形を防止して半円状パッキン２′の突き合せ面の気密性を保つ直方体形状の舌部２ｄと、一対の円弧部２ａの外周面に円弧部２ａに沿って形成した凹溝２ｅとをそれぞれ備えている。
【００５２】
これら二つの半円状パッキン２′は、図２及び図８に示す如く、両半円状パッキン２′を上側ハウジング１′及び下側ハウジング１″のパッキン挿入用凹溝１ｇ内にそれぞれ挿着したときに、両半円状パッキン２′の両端面が上側ハウジング１′及び下側ハウジング１″の両端面からそれぞれ突出するようになっている。
【００５３】
また、二つの半円状パッキン２′の円弧部２ａの両端面は、外側から内側へ向って上り傾斜状の傾斜面（内側部分が外側部分よりも円周方向に突出した状態の傾斜面）に形成されている。
【００５４】
更に、両半円状パッキン２′の内径は、接続する配管部材Ｐの鍔部Ｐａの外径よりも小径に形成されている。
【００５５】
前記緊締具４は、図１〜図３に示す如く、下側ハウジング１″の締め付け片１ｅ間にリベットピン７を介して揺動自在に連結され、上側ハウジング１′の締め付け片１ｅ間に挿通されるボルト４ａと、ボルト４ａに螺着されたナット４ｂとから成り、ボルト４ａを上側ハウジング１′の締め付け片１ｅ間に挿通し、当該ボルト４ａに螺着したナット４ｂを締め込むことによって、上側ハウジング１′及び下側ハウジング１″の他端部同士（締め付け片１ｅ同士）を締め付け固定することができる。
【００５６】
次に、上述した分岐用管継手を用いて鍔部Ｐａを形成した二つの配管部材Ｐを突き合せ状に接続し、前記分岐用管継手に分岐管５を接続する場合について説明する。
【００５７】
先ず、上側ハウジング１′及び下側ハウジング１″のパッキン挿入用凹溝１ｇ内に半円状パッキン２′が確実に挿着されているかを確認すると共に、接続する二つの配管部材Ｐに傷や異物が付いていないかをチェックする。尚、配管部材Ｐに著しい傷がある場合には、使用しない。
【００５８】
次に、二つの半円状パッキン２′に滑剤を塗布すると共に、上側ハウジング１′及び下側ハウジング１″を開き、接続する二つの配管部材Ｐの鍔部Ｐａを下側ハウジング１″の鍔部収容凹部１ｈ内に挿入する（図１７参照）。
【００５９】
その後、接続する二つの配管部材Ｐを水平にして配管部材Ｐの両端面を対向せしめ、この状態を保ちながら上側ハウジング１′を対向せしめた配管部材Ｐの鍔部Ｐａに被せる。
【００６０】
最後に、上側ハウジング１′及び下側ハウジング１″を緊締具４で縮径方向へ締め付け固定する（図１８参照）。このとき、上側ハウジング１′及び下側ハウジング１″の両端面同士が当たるまで緊締具４で締め付ける。また、位置決め用突起１ｉが上側ハウジング１′の一方の端面に当たっていないかを確認する。
【００６１】
そうすると、上側ハウジング１′及び下側ハウジング１″の鍔部収容凹部１ｈの内側側面１ｈ′が対向せしめた配管部材Ｐの鍔部Ｐａの内側寄りの側面に係止され、両配管部材Ｐが分岐用管継手から抜け止めされる。また、環状の割りパッキン２が対向せしめた配管部材Ｐの各鍔部Ｐａに隣接する外周面部分に密着状態で圧接されると共に、上側ハウジング１′と下側ハウジング１″の両端面との間が環状の割りパッキン２によりシールされる。これにより両配管部材Ｐが気密状に接続されることになる（図１９参照）。
【００６２】
対向する二つの配管部材Ｐが分岐用管継手により接続されたら、分岐用管継手の分岐部１ｂに分岐管５の先端部を螺着する。
【００６３】
上述した分岐用管継手は、上側ハウジング１′及び下側ハウジング１″の鍔部収容凹部１ｈの内周面に、二つの配管部材Ｐの各端面が当接して二つの配管部材Ｐの近接する方向への移動を規制する当り面１ｃ′を有するストッパー部１ｃをそれぞれ設けているため、対向状に配設した二つの配管部材Ｐが近接する方向へ動いても、ストッパー部１ｃにより二つの配管部材Ｐの軸線方向への移動が規制され、二つの配管部材Ｐの端面同士が突き当たるのを防止することができる。
その結果、前記分岐用管継手を使用すれば、二つの配管部材Ｐが固定されておらず、互いに近接する方向へ移動した場合でも、水が出ないと言う問題を生じることがなく、分岐管５側へ確実に水を流すことができる。
【００６４】
また、分岐用管継手は、ストッパー部１ｃの二つの配管部材Ｐの端面がそれぞれ当接する当り面１ｃ′間の寸法Ｌを、分岐管５へ流入する水量を充分に確保できる寸法に設定しているため、二つの配管部材Ｐの端面がストッパー部１ｃの当り面１Ｃ′二当接しても、分岐管５側へ充分な水量を確保することができる。
【００６５】
更に、分岐用管継手は、上側ハウジング１′及び下側ハウジング１″の鍔部収容凹部１ｈの内側側面１ｈ′と当該内側側面１ｈ′に対向するストッパー部１ｃの当り面１ｃ′との間隔Ｗを、二つの配管部材Ｐが軸線方向へ移動できるように二つの配管部材Ｐの鍔部Ｐａの幅より大きめに設定しているため、二つの配管部材Ｐを接続したときに配管の伸縮や曲がり、撓み等を吸収することができる。
【００６６】
更に、分岐用管継手は、環状のパッキンが平面視において四角枠状で且つ側面視において半円弧状の二つの半円状パッキン２′から成り、二つの半円状パッキン２′が二つの配管部材Ｐの鍔部Ｐａに隣接する外周面と環状のハウジング１との間を気密状にシールするようにしているため、対向状に配設した二つ配管部材Ｐの鍔部Ｐａに環状のパッキンを跨った状態で被せるようにした従来の分岐用管継手のように環状のパッキンに分岐用の貫通穴を形成する必要もなく、加工工程の削減を図れてコスト低減を図れる。
【００６７】
更に、分岐用管継手は、直径方向に二つ割りにした割りパッキンを使用し、割りパッキンと二つ割りのハウジングとを一体化する構成としているため、二つの配管部材Ｐを接続する際に、環状のパッキンを使用した従来の管継手のように、二つの配管部材Ｐの鍔部Ｐａを互いに突き合せ、両配管部材Ｐの中心位置（軸心位置）を合わせて両配管部材Ｐを水平姿勢に保つ作業と、パッキンを伸ばして拡げながら突き合せた鍔部Ｐａに均等に被せる作業とが不要になり、配管部材Ｐの接続作業を簡単且つ容易に短時間で行うことができる。
【００６８】
更に、分岐用管継手は、割りパッキンとハウジングとを一体化する構成としているため、ハウジングを配管部材Ｐの突き合せた鍔部Ｐａに取り付ける際にパッキンの噛み込み等の施工ミスが起きず、水漏れの原因がなくなる。
【００６９】
更に、分岐用管継手は、二つの配管部材Ｐを接続する際に、下側ハウジング１″の鍔部収容凹部１ｈ内に二つの配管部材Ｐの鍔部Ｐａをそれぞれ挿入し、両配管部材Ｐを水平にして上側ハウジング１′を両配管部材Ｐの鍔部Ｐａに被せて上側ハウジング１′及び下側ハウジング１″を緊締具４で締め付けるだけで良いので、長い配管部材Ｐや重たい配管部材Ｐを長時間保持する必要がなく、凹凸のある作業現場での配管作業や空中での配管作業でも簡単に短時間で接続可能となる。
【００７０】
更に、分岐用管継手は、環状の割りパッキン２が傷や異物（埃、砂、ゴミ等）の付き難い配管部材Ｐの鍔部Ｐａに隣接する外周面部分に密着状態で当接するようになっているため、傷等が付き易い配管部材Ｐの鍔部Ｐａの外周面でシールを行う従来の管継手に比較してシール性に優れている。
【００７１】
更に、分岐用管継手は、両半円状パッキン２′の両端面が上側ハウジング１′及び下側ハウジング１″の両端面からそれぞれ突出しているため、上側ハウジング１′及び下側ハウジング１″を締め付け固定したときに、両半円状パッキン２′の上側ハウジング１′及び下側ハウジング１″の両端面から突出する部分が強く押圧されて緊密に密着し、両半円状パッキン２′の突き合せ面のシールを確実且つ良好に行える。
特に、両半円状パッキン２′の円弧部２ａの両端面は、外側から内側へ向って上り傾斜状の傾斜面に形成されているので、円弧部２ａの両端面の内側部分が外側部分よりも一層強く押圧され、両半円状パッキン２′の突き合せ面の気密性を確実に保つことができる。
【００７２】
更に、分岐用管継手は、下側ハウジング１″に上側ハウジング１′へ係止される位置決め用突起１ｉを備えているため、上側ハウジング１′及び下側ハウジング１″が正確に位置決めされた状態で突き合されることになり、その結果、二つの割りパッキンの両端面も正確且つ確実に突き合されて確実なシールを行える。
【００７３】
尚、上記の実施の形態においては、上側ハウジング１′及び下側ハウジング１″の一端部同士を連結ピン３で回動自在に連結し、上側ハウジング１′及び下側ハウジング１″の他端部同士を緊締具４で締め付け固定するようにしたが、他の実施の形態においては、図示していないが上側ハウジング１′及び下側ハウジング１″の他端部同士も緊締具４で締め付け固定するようにしても良い。
【００７４】
上記の実施の形態においては、上側ハウジング１′及び下側ハウジング１″をステンレス鋳鋼品により形成したが、他の実施の形態においては、上側ハウジング１′及び下側ハウジング１″を他の材質、例えばダクタイル鋳鉄、アルミ合金や銅合金の非鉄系、合成樹脂材等で形成するようにしても良い。
【００７５】
上記の実施の形態においては、環状の割りパッキン２を合成ゴムにより形成したが、他の実施の形態においては、割りパッキンを天然ゴムやテフロン（登録商標）等の合成樹脂材で形成するようにしても良い。
【００７６】
上記の実施の形態においては、上側ハウジング１′に分岐部１ｂを設けたが、他の実施の形態においては、下側ハウジング１″に分岐部１ｃを設けても良く、或いは、上側ハウジング１′と下側ハウジング１″の両方に分岐部１ｃを設けても良い。
【００７７】
上記の実施の形態においては、上側ハウジング１′及び下側ハウジング１″の両方の鍔部収容凹部１ｈの内周面に、当り面１ｃ′を有するストッパー部１ｃをそれぞれ設けたが、他の実施の形態においては、上側ハウジング１′又は下側ハウジング１″の何れか一方の鍔部収容凹部１ｈの内周面に、当り面１ｃ′を有するストッパー部１ｃを設けるようにしても良い。
【符号の説明】
【００７８】
１は環状のハウジング、１′は上側ハウジング、１″は下側ハウジング、１ａは円弧状ハウジング部、１ｂは分岐部、１ｃはストッパー部、１ｃ′は当り面、１ｄは連結片、１ｅは締め付け片、１ｆは分岐部の雌ネジ、１ｇはパッキン挿入用凹溝、１ｈは鍔部収容凹部、１ｈ′  鍔部収容凹部の内側側面、１ｉは位置決め用突起、２は環状の割りパッキン、２′は半円状パッキン、２ａは円弧部、２ｂはコ字状の連結部、２ｃはリップ部、２ｄは舌部、２ｅは凹溝、３は連結ピン、４は緊締具、４ａはボルト、４ｂはナット、５は分岐管、５ａは分岐管の雄ネジ、６はブッシュナット、７はリベットピン、Ｐは配管部材、Ｐａは鍔部、Ｌは当り面間の寸法、Ｗは当り面と鍔部収容凹部の内側側面との間隔。
【図１】
2018189131.tif 000003
【図２】
2018189131.tif 000004
【図３】
2018189131.tif 000005
【図４】
2018189131.tif 000006
【図５】
2018189131.tif 000007
【図６】
2018189131.tif 000008
【図７】
2018189131.tif 000009
【図８】
2018189131.tif 000010
【図９】
2018189131.tif 000011
【図１０】
2018189131.tif 000012
【図１１】
2018189131.tif 000013
【図１２】
2018189131.tif 000014
【図１３】
2018189131.tif 000015
【図１４】
2018189131.tif 000016
【図１５】
2018189131.tif 000017
【図１６】
2018189131.tif 000018
【図１７】
2018189131.tif 000019
【図１８】
2018189131.tif 000020
【図１９】
2018189131.tif 000021
【図２０】
2018189131.tif 000022
【図２１】
2018189131.tif 000023